(57)【要約】【課題】発電装置を停止させずにフィルタの交換を可能とする流体ろ過装置、及び発電装置を提供すること。【解決手段】流体ろ過装置１は、ケーシング２と、ケーシング２の内部と中空連通する導管４と、を備え、ケーシング２の内部と導管４の内部とによって流体Ｆが流通方向Ｄｆに流通する流通路Ｗが形成されている。流体ろ過装置１は、更に、流通方向Ｄｆを横断する横断方向Ｄｘに延びるろ過板６を備える。ケーシング２は、側面にろ過板６を横断方向Ｄｘに沿って挿抜可能な挿入部２９、３０を有する。ろ過板６は、所定位置に配置された場合に、ろ過板６のメッシュ部６１の少なくとも一部が流通路Ｗ内に配置される。ケーシング２に一方の向きから挿入されたろ過板６は、横断方向Ｄｘの他方の向きから挿入された別のろ過板６によって押し出されることにより、ろ過板６を交換することができる。【選択図】図１
2018192440.tif 000002
【特許請求の範囲】
【請求項１】
前面及び後面に開口を有し、かつ、内部に中空部を有するケーシングと、
前記前面の前記開口及び前記後面の前記開口のそれぞれに接続され、かつ、前記中空部と内部で連通する中空の導管と、
を備え、
前記導管の中空の内部と前記ケーシングの前記中空部とによって、流体が所定の流通方向に流通する流通路が形成された流体ろ過装置であって、
前記流通方向を横断する横断方向に延びると共に、少なくとも一部にメッシュ部を有するろ過板を更に備え、
前記ケーシングが、前記前面又は前記後面とは異なる面である側面に、前記ろ過板を前記横断方向に沿って挿抜可能な挿入部を有し、
前記ろ過板が所定位置に配置された場合に、前記メッシュ部の少なくとも一部が前記流通路内に配置される、流体ろ過装置。
【請求項２】
前記ケーシングが、前記側面に前記横断方向の一方の向きに開口する第１の前記挿入部を有すると共に、前記側面と対向する面に前記横断方向の他方の向きに開口する第２の挿入部を有し、
第１の前記ろ過板が前記横断方向の一方の向きから前記第１の挿入部に挿入可能であり、
第２の前記ろ過板が前記横断方向の他方の向きから前記第２の挿入部に挿入可能であり、
前記第１のろ過板が前記横断方向の一方の向きから前記第１の挿入部に挿入されていた場合に、前記他方の向きから前記第２のろ過板を前記第２の挿入部に挿入することによって、前記第２のろ過板の前記一方の向き側の端部と、前記第１のろ過板の前記他方の向き側の端部と、を当接させ、前記第１のろ過板を、前記他方の向きへ向けて押し出し可能であり、
前記第２のろ過板が前記横断方向の他方の向きから前記第２の挿入部に挿入されていた場合に、前記一方の向きから前記第１のろ過板を前記第１の挿入部に挿入することによって、前記第１のろ過板の前記他方の向き側の端部と、前記第２のろ過板の前記一方の向き側の端部と、を当接させ、前記第２のろ過板を、前記一方の向きへ向けて押し出し可能である、請求項１に記載の流体ろ過装置。
【請求項３】
前記第１のろ過板の前記他方の向き側の端部が、前記他方の向きに向けて開口する開口部が形成された凹形状を呈し、
前記第２のろ過板の前記一方の向き側の端部が、前記開口部の内部へ侵入することにより、前記第１のろ過板の前記他方の向き側の端部と、前記第２のろ過板の前記一方の向き側の端部と、が係合する、請求項２に記載の流体ろ過装置。
【請求項４】
前記ろ過板が前記横断方向の一方の向きから前記挿入部に挿入される場合に、
前記ろ過板が、前記ろ過板の他方の向き側の端部に、前記ろ過板が前記所定位置に配置されるよう前記ろ過板の挿入長さを規制する規制板を有する、請求項１から請求項３のいずれか１項に記載の流体ろ過装置。
【請求項５】
請求項１から請求項４のいずれか１項に記載の流体ろ過装置を、前記流体の前記流通路上で燃焼炉よりも上流に備える発電装置。
【発明の詳細な説明】
【技術分野】
【０００１】
本発明は、流体ろ過装置、及び発電装置に関し、特に、バイオマス発電における気体をろ過する流体ろ過装置、及び発電装置に関する。
【背景技術】
【０００２】
バイオマス発電等の燃焼型の発電装置は、酸素を供給するための吸気口を有する。吸気口には、一般的に、空気中に含まれる塵や粉じん等を捕捉し、塵や粉じん等が燃焼炉へ侵入させないようにするためのフィルタを備えるろ過装置が設置される（例えば、特許文献１）。
【先行技術文献】
【特許文献】
【０００３】
【特許文献１】特開平５−１０６４６４号公報
【発明の概要】
【発明が解決しようとする課題】
【０００４】
発電装置の運転に伴ってフィルタの目詰まりや汚損等が発生することがある。しかしながら、フィルタの清掃や交換を行うためには、発電装置を停止させる必要がある。すなわち、フィルタの清掃や交換のためには、発電装置を停止させ、フィルタが収納されるケーシングを分解してフィルタを取り出し、フィルタの清掃や交換を行った後、フィルタを所定位置に戻し、発電装置を再稼動させる必要がある。当然ながら、停止中は、発電装置は発電することができない。
【０００５】
本発明は、上記の事情に鑑みてなされたもので、発電装置を停止させずにフィルタの交換を可能とする流体ろ過装置、及び発電装置を提供することを例示的課題とする。
【課題を解決するための手段】
【０００６】
上記の課題を解決するために、本発明は以下の構成を有する。
【０００７】
（１）前面及び後面に開口を有し、かつ、内部に中空部を有するケーシングと、前記前面の前記開口及び前記後面の前記開口のそれぞれに接続され、かつ、前記中空部と内部で連通する中空の導管と、を備え、前記導管の中空の内部と前記ケーシングの前記中空部とによって、流体が所定の流通方向に流通する流通路が形成された流体ろ過装置であって、前記流通方向を横断する横断方向に延びると共に、少なくとも一部にメッシュ部を有するろ過板を更に備え、前記ケーシングが、前記前面又は前記後面とは異なる面である側面に、前記ろ過板を前記横断方向に沿って挿抜可能な挿入部を有し、前記ろ過板が所定位置に配置された場合に、前記メッシュ部の少なくとも一部が前記流通路内に配置される、流体ろ過装置。
【０００８】
本発明の更なる目的又はその他の特徴は、以下添付図面を参照して説明される好ましい実施の形態によって明らかにされるであろう。
【発明の効果】
【０００９】
本発明によれば、発電装置を停止させずにフィルタの交換を可能とする流体ろ過装置、及び発電装置を提供することができる。
【図面の簡単な説明】
【００１０】
【図１】実施形態１に係る流体ろ過装置１の概要を示す模式図である。
【図２】実施形態１のケーシング２を模式的に示す平面図である。
【図３】図２のＡ−Ａ’断面図である。
【図４】実施形態１のろ過板６を模式的に示す平面図である。
【図５】実施形態１のろ過板６を模式的に示す上面図である。
【図６】ろ過板６がケーシング２に挿入された状態を示す断面図である。
【図７】第１のろ過板６ａの係合部７１ａと第２のろ過板６ｂの係合部７１ｂとの間の係合部分を示す部分拡大図である。
【発明を実施するための形態】
【００１１】
［実施形態１］
以下、本発明の流体ろ過装置１の一実施形態である実施形態１について、図面を参照しながら説明する。図１は、実施形態１に係る流体ろ過装置１の概要を示す模式図である。流体ろ過装置１は、内部に中空部２７を有するケーシング２と、ケーシング２の前面２１及び後面２２に接続されてケーシング２と内部で中空連通する導管４と、を備える。導管４の中空の内部とケーシング２の中空部２７とは、流体Ｆが所定の流通方向Ｄｆに流通する流通路Ｗを形成している。また、流体ろ過装置１は、ケーシング２の側面２３又は側面２４からケーシング２の中空部２７へ向けて挿入することが可能なろ過板６を更に備える。ろ過板６は、流通方向Ｄｆを横断する横断方向Ｄｘに沿ってスライド移動が可能である。図１では、ろ過板６が側面２３からケーシング２の中空部２７へ向けて一部挿入されている状態を示している。なお、図１において、後述する封止板３１、３２については、説明の便宜上省略している。以下、流体ろ過装置１が備える各構成について、具体的に説明する。
【００１２】
＜ケーシング２＞
ケーシング２は、図２に示すように前面２１に開口２５を有する。同様に、ケーシング２は、後面２２に開口２６を有する。ここで、図２は、実施形態１のケーシング２を模式的に示す平面図である。図２では、前面２１側から見た平面図を示している。開口２５、２６には、それぞれ導管４が接続される。接続の方法は、特に制限されないが、例えば溶接により接続することができる。導管４の先端は、ケーシング２の内部（中空部２７）へ侵入していてもよい。ただし、後述するろ過板６がケーシング２の内部の所定位置に配置されるため、導管４の先端は、所定位置に配置されたろ過板６と干渉しない位置までケーシング２の内部へ侵入していてもよい。
【００１３】
ケーシング２は、内部に中空部２７を有している。中空部２７は、開口２５、２６を通じて、導管４の中空の内部と連通している。中空部２７と導管４の中空の内部とは、流体Ｆの流通路Ｗを形成することができる。
【００１４】
開口２５と開口２６とは、それぞれ前面２１又は後面２２の互いに対向する位置に形成されていることが好ましい。すなわち、開口２５と開口２６とは、同形状及び同サイズであり、両方の中心が流通方向Ｄｆに平行な直線上に位置していることが好ましい。これにより、流通路Ｗは直線状に形成されることになる。
【００１５】
流体Ｆとしては、流体ろ過装置１が発電装置に接続される場合、空気（大気）とすることができる。空気を一定速度で発電装置に流入させるために、発電装置の吸気側にＦＤＦ（Ｆｏｒｃｅｄ  Ｄｒａｆｔ  Ｆａｎ）等の通風機を設けてもよい。すなわち、空気の導入経路上、通風機の上流、下流、又はその両方に、流体ろ過装置１を設けてもよい。なお、通風機の下流に流体ろ過装置１を設ける場合、流体ろ過装置１は、発電装置の燃焼炉よりも空気の導入経路上の上流に設けることが好ましい。なお、流体Ｆは、例えば、空気とすることができる。後述するように、流体Ｆの流通状態で（発電装置の運転状態で）ろ過板６を挿抜することを可能とするためには、流体Ｆは、空気等のガスであることが好ましい。
【００１６】
図３は、図２のＡ−Ａ’断面図である。前面２１と後面２２と側面２３と側面２４とで画成される空間が中空部２７である。中空部２７の側面２３、２４には、それぞれ、挿入部２９、３０が形成されている。挿入部２９、３０は、横断方向Ｄｘにおいて対向するように、ケーシング２の側面２３、２４に形成される。挿入部２９、３０の形状は、後述するろ過板６が横断方向Ｄｘに対して平行にスライド移動可能であれば特に制限されない。また、挿入部２９、３０がどのような構成によって形成されるかも特に制限されない。例えば、図３においては、挿入部２９は、側面２３有する側壁を構成する２つ部材３５、３６の間に形成された間隙（スリット）として形成されている。挿入部３０も、同様に、側面２４を有する側壁を構成する２つの部材３７、３８の間に形成された間隙（スリット）として形成されている。
【００１７】
挿入部２９、３０は、ろ過板６が横断方向Ｄｘに沿って挿抜可能に構成されている。具体的には、ろ過板６が挿抜される際のろ過板６の厚さ方向における挿入部２９、３０の幅がろ過板６の厚さよりもわずかに広く、ろ過板６が挿抜される際のろ過板６の幅方向（図１や図２中の縦方向）における挿入部２９、３０の長さがろ過板６の幅よりもわずかに長くなっている。なお、ろ過板６は、ケーシング２の内部（中空部２７）へ、挿入部２９から挿入されてもよいし、挿入部３０から挿入されてもよい。
【００１８】
ケーシング２は、挿入部２９、３０を外部と遮断するために、側面２３、２４を覆う封止機構を有していてもよい。例えば、図２及び図３に示されているように、ケーシング２は側面２３、２４を覆うように、封止板３１、３２を有していてもよい。なお、図１においては、説明の便宜上、封止板３１、３２を省略している。
【００１９】
封止板３１、３２は、挿入部２９、３０を塞ぐように、ケーシング２の側面２３、２４に直接取り付けられていてもよいし、所定の部材を介してケーシング２に取り付けられていてもよい。所定の部材としては、例えば、後述するろ過板６が所定位置に挿入されていた場合であっても、ろ過板６の端部が封止板３１、３２と干渉しないように、封止板３１、３２を取付け可能とする部材を採用することができる。また、所定の部材としては、図２及び図３に示されているように、ろ過板６が規制板６５に取っ手６７を有していた場合であっても、規制板６５の表面から突出する取っ手６７分の空間を保ちつつ、封止板３１、３２を取付け可能とするスペーサ部材３９、４０であってもよい。すなわち、ケーシング２は、ろ過板６が所定位置に挿入されていた場合に、ろ過板６の取っ手６７が規制板６５から突出する高さよりも長い距離を保持しつつケーシング２を封止する封止板３１、３２を有していることが好ましい。また、ケーシング２は、ろ過板６が所定位置に挿入されたいた場合に、ろ過板６の取っ手６７が規制板６５から突出している先端から所定の間隔を保持しつつケーシング２を封止する封止板３１、３２を有していることが好ましい。
【００２０】
封止板３１、３２は、図２及び図３に示すように、ケーシング２側ではない外側に、取っ手３３、３４を有していてもよい。取っ手３３、３４の数は特に制限されないが、図３に示すように、取っ手３３、３４はそれぞれ２つずつ形成されていてもよい。
【００２１】
＜導管４＞
導管４は、流体Ｆの流通路Ｗの一部を画成する構造体である。すなわち、流通路Ｗの一部は、導管４の内壁によって形成されている。ここで、流通路Ｗの一部とは、流通路Ｗのうち、ケーシング２の内部（中空部２７）以外の部分である。
【００２２】
図１において、導管４は、断面が円形である円筒として表されている。導管４の断面形状としては、円形に限定されず、だ円形や、四角形、六角形等の多角形状等であってもよい。なお、導管４の断面形状とは、導管４の伸長方向（流通路Ｗに平行な方向）に垂直な断面の形状、又は、流体Ｆの流通方向Ｄｆに垂直な断面の形状を意味する。
【００２３】
導管４は、図１に示すように、流体Ｆの流通方向Ｄｆにおける両端部にフランジ４３を有していてもよい。流体ろ過装置１は、発電装置の吸気口等に配設される場合、当該吸気口等に連結されることになる。その連結の際に、流体Ｆが連結部分から流出しないよう、吸気口等と流体ろ過装置１とは密閉状態で連結されることが好ましい。例えば、吸気口等の端部に備えられたフランジと、流体ろ過装置１のフランジ４３とがパッキンを介して接続されていてもよい。なお、発電装置の吸気口等の開口部の形状と、導管４の断面形状とが一致していることが好ましい。
【００２４】
導管４の内径、すなわち、流通路Ｗの径は、特に制限されない。流体Ｆが空気であり、ろ過板６の挿抜を人力で行う場合、導管４の内径は、例えば、４０〜９０ｃｍであることが好ましく、５０〜８０ｃｍであることが更に好ましい。
【００２５】
＜ろ過板６＞
ろ過板６は、ケーシング２の挿入部２９又は挿入部３０に挿入可能な板状部材である。ろ過板６は、横断方向Ｄｘに延びる板状部材である。ここで、横断方向Ｄｘとは、流体Ｆの流通方向Ｄｆを横断する方向である。ろ過板６は、この横断方向Ｄｘに沿ってスライド移動が可能である。
【００２６】
図４は、実施形態１のろ過板６を模式的に示す平面図である。図４に示すように、ろ過板６の一部は、ろ過板６が所定位置に配置された場合に、流通路Ｗ内に配置されることになるメッシュ部６１である。メッシュ部６１は、流体Ｆを流通させつつ、流体Ｆに含まれる不純物を捕捉する機能を有する。メッシュ部６１は、例えば、鉄製やステンレス製の金網６２で形成されていてもよい。金網６２としては、流体Ｆが空気でありその不純物として塵や粉じんを除去することを目的とする場合、例えば、金網６２を構成する金属線の太さは、１．５ｍｍ程度とすることができる。金網６２は、金網規格に適合するものであることが好ましい。また、金網６２を構成する金属線のピッチは、金属線の間隔が４．８５ｍｍであり、空間率５８．３％あることが好ましい。
【００２７】
メッシュ部６１は、流通路Ｗの少なくとも一部に亘って配置される。すなわち、ろ過板６が所定位置に挿入された状態において、メッシュ部６１は導管４内の流通路Ｗに位置している。メッシュ部６１が流通路Ｗに対応する位置に配置されることにより、流通路Ｗを流通する流体Ｆの流通速度の減少を抑制しつつ不純物をより効率よく除去することができる。メッシュ部６１の径は、特に制限されないが、導管４の内径よりも小さいか、同等であるか、わずかに大きくてもよい。
【００２８】
メッシュ部６１を有するろ過板６とするには、ろ過板６の全面を覆う金網６２と、ろ過板６の全面を覆うと共にメッシュ部６１に相当する部分に孔が形成された２枚の挟持板６３、６４と、を用いることができる。すなわち、図５に示すように、金網６２を、上記２枚の挟持板６３、６４で挟持することで、メッシュ部６１を有するろ過板６を作製することができる。ここで、図５は、実施形態１のろ過板６を模式的に示す上面図である。
【００２９】
ろ過板６は、その一の端部を先端６６として、ケーシング２の挿入部２９又は挿入部３０へ挿入される。図４においては、図４の紙面上右側の端部がろ過板６を挿入する場合の先端６６であり、例えばケーシング２の挿入部２９へ挿入することができる。図４においては、ろ過板６は、紙面上左側の端部に規制板６５を有している。規制板６５は、横断方向Ｄｘに対して直交する方向に平行な板状部材であり、挟持板６３、６４に接続されている。規制板６５の幅は、ろ過板６の厚さ（挟持板６３、６４で金網６２を挟持した構成の厚さ）、及び、挿入部２９、３０の幅よりも大きい。
【００３０】
図６は、ろ過板６がケーシング２に挿入された状態を示す断面図である。図６に示すように、規制板６５は挿入部２９、３０へ侵入することができないため、ろ過板６は、規制板６５が挿入部２９の入り口へ到達したところで挿入部２９の内部への挿入が止まる（規制される）。このような規制板６５を設けることにより、メッシュ部６１が所定位置に配置されるようにろ過板６を挿入し、停止させることができる。すなわち、規制板６５を設けることにより、ろ過板６のケーシング２の内部への挿入長さを規制することができる。所定位置とは、メッシュ部６１の中心が流通路Ｗの流通方向Ｄｆに垂直な断面の中心と重なる位置とすることができる。
【００３１】
ろ過板６が所定位置に配置された場合、ろ過板６の先端６６は、挿入された側の側面２３、２４と対向する側面２３、２４に達していないことが好ましい。具体的には、図６に示すように、ろ過板６が側面２３側から挿入部２９へと挿入された場合、ろ過板６の先端６６は、側面２４に到達していないことが好ましい。すなわち、側面２４側の挿入部３０には、ろ過板６の先端６６が到達していないか、ろ過板６の先端６６が挿入部３０の一部にのみ到達していることが好ましい。これにより、側面２４側から、別のろ過板６を挿入しようとした場合に、その先端６６を挿入部３０へと挿入することができる。すなわち、別のろ過板６の少なくとも一部を挿入部３０へ挿入することができることになり、別のろ過板６をより容易に挿入部３０へ挿入することが可能となる。
【００３２】
ここで、ケーシング２の側面２３から第１のろ過板６ａが挿入されていた状況において、側面２４から第２のろ過板６ｂを挿入する場合について説明する。挿入部２９、３０の幅は、ろ過板６の１枚分の厚さ（挟持板６３、６４で金網６２を挟持した構成の厚さ）よりわずかに広いに過ぎないため、横断方向Ｄｘの両向きからそれぞれ別のろ過板６ａ、６ｂが挿入された場合、ケーシング２の内部（中空部２７）において、ろ過板６ａ、６ｂの先端６６ａ、６６ｂ同士が当接することになる。そのため、第１のろ過板６ａが挿入部２９から挿入されていた状況に、挿入部３０から第２のろ過板６ｂが挿入されると、第１のろ過板６ａの先端６６ａと第２のろ過板６ｂの先端６６ｂとが当接する。そのまま第２のろ過板６ｂをケーシング２の内部へ向けて押し込むと、先端６６ｂは先端６６ａを押圧し、第１のろ過板６ａがケーシング２の内部から押し出されることになる。これは、第２のろ過板６ｂが挿入されていた状況において、第１のろ過板６ａを挿入した場合にも同様である。これにより、１回の動作でろ過板６の交換、すなわち、フィルタの交換を行うことができる。なお、このろ過板６の交換は、発電装置を停止させることなく行うことができる。
【００３３】
第１のろ過板６ａの先端６６ａは、第２のろ過板６ｂの先端６６ｂとの係合を容易とする形状を有していることが好ましい。または、第２のろ過板６ｂの先端６６ｂが、第１のろ過板６ａの先端６６ａとの係合を容易とする形状を有していることが好ましい。ここでは、説明の便宜上、第１のろ過板６ａの先端６６ａが第２のろ過板６ｂの先端６６ｂとの係合を容易とする形状を有している場合について説明する。
【００３４】
第２のろ過板６ｂの先端６６ｂとの係合を容易とする形状として、図７に示すような、先端６６ａは、第２のろ過板６ｂの向きに向けて開口した開口部７２が形成された凹形状を採用することができる。図７は、第１のろ過板６ａの係合部７１ａと第２のろ過板６ｂの係合部７１ｂとの間の係合部分を示す部分拡大図である。図７（ａ）は、係合部７１ａと係合部７１ｂとが離間している状態を示す図であり、図７（ｂ）は、係合部７１ａと係合部７１ｂとが係合している状態を示す図である。
【００３５】
このような係合部７１ａ、７１ｂを有することにより、先端６６ｂが、開口部７２の内部へ侵入し、先端６６ａと先端６６ｂとが係合することができる。なお、開口部７２の幅は、先端６６ｂの幅方向の長さ（横断方向Ｄｘと垂直な方向における長さ）よりも大きいことが好ましい。これにより、先端６６ａと先端６６ｂとの係合がより容易となる。また、先端６６ａと先端６６ｂとが係合することにより、第１のろ過板６ａと第２のろ過板６ｂとの間の密閉性が向上する。例えば、流体Ｆが空気である場合、フィルタ交換の際に、第１のろ過板６ａと第２のろ過板６ｂとの間から空気が漏れることを抑制することができる。
【００３６】
先端６６ａの部分、先端６６ｂの部分、又はその両方の部分は、相互の密着性を向上させる材質で作製されることが好ましい。例えば、これらの部分を、樹脂、特にゴム等の樹脂で作製することが好ましい。
【００３７】
規制板６５には、図４に示すように、規制板６５と挟持板６３、６４とが接続される規制板６５の面の反対側の面に、取っ手６７が配設されていてもよい。
【００３８】
流体ろ過装置１の各構成部材の材質は、特に制限されないが、鉄材、ステンレス材等、適宜最適な材料を選択することができる。
【００３９】
以上、本発明の好ましい実施の形態を説明したが、本発明はこれらに限定されるものではなく、その要旨の範囲内で様々な変形や変更が可能である。例えば、本発明は以下の趣旨を含むものとする。
【００４０】
（趣旨１）流体ろ過装置は、前面及び後面に開口を有し、かつ、内部に中空部を有するケーシングと、前記前面の前記開口及び前記後面の前記開口のそれぞれに接続され、かつ、前記中空部と内部で連通する中空の導管と、を備え、前記導管の中空の内部と前記ケーシングの前記中空部とによって、流体が所定の流通方向に流通する流通路が形成された流体ろ過装置であって、前記流通方向を横断する横断方向に延びると共に、少なくとも一部にメッシュ部を有するろ過板を更に備え、前記ケーシングが、前記前面又は前記後面とは異なる面である側面に、前記ろ過板を前記横断方向に沿って挿抜可能な挿入部を有し、前記ろ過板が所定位置に配置された場合に、前記メッシュ部の少なくとも一部が前記流通路内に配置されることを趣旨とする。
【００４１】
これによれば、発電装置を停止させずにフィルタを交換することができる。
【００４２】
（趣旨２）流体ろ過装置は、前記ケーシングが、前記側面に前記横断方向の一方の向きに開口する第１の前記挿入部を有すると共に、前記側面と対向する面に前記横断方向の他方の向きに開口する第２の挿入部を有し、第１の前記ろ過板が前記横断方向の一方の向きから前記第１の挿入部に挿入可能であり、第２の前記ろ過板が前記横断方向の他方の向きから前記第２の挿入部に挿入可能であり、前記第１のろ過板が前記横断方向の一方の向きから前記第１の挿入部に挿入されていた場合に、前記他方の向きから前記第２のろ過板を前記第２の挿入部に挿入することによって、前記第２のろ過板の前記一方の向き側の端部と、前記第１のろ過板の前記他方の向き側の端部と、を当接させ、前記第１のろ過板を、前記他方の向きへ向けて押し出し可能であり、前記第２のろ過板が前記横断方向の他方の向きから前記第２の挿入部に挿入されていた場合に、前記一方の向きから前記第１のろ過板を前記第１の挿入部に挿入することによって、前記第１のろ過板の前記他方の向き側の端部と、前記第２のろ過板の前記一方の向き側の端部と、を当接させ、前記第２のろ過板を、前記一方の向きへ向けて押し出し可能であるよう構成することができる。
【００４３】
（趣旨３）流体ろ過装置は、前記第１のろ過板の前記他方の向き側の端部が、前記他方の向きに向けて開口する開口部が形成された凹形状を呈し、前記第２のろ過板の前記一方の向き側の端部が、前記開口部の内部へ侵入することにより、前記第１のろ過板の前記他方の向き側の端部と、前記第２のろ過板の前記一方の向き側の端部と、が係合するよう構成することができる。
【００４４】
（趣旨４）流体ろ過装置は、前記ろ過板が前記横断方向の一方の向きから前記挿入部に挿入される場合に、前記ろ過板が、前記ろ過板の他方の向き側の端部に、前記ろ過板が前記所定位置に配置されるよう前記ろ過板の挿入長さを規制する規制板を有する、請求項１から請求項３のいずれか１項に記載の流体ろ過装置。
【００４５】
（趣旨５）発電装置は、趣旨１〜４のいずれか１つに記載の流体ろ過装置を、前記流体の前記流通路上で燃焼炉よりも上流に備えることも趣旨とする。
【符号の説明】
【００４６】
１：流体ろ過装置                          ２：ケーシング  
４：導管                                  ６：ろ過板  
６ａ：第１のろ過板                        ６ｂ：第２のろ過板  
２１：前面                                ２２：後面  
２３，２４：側面                          ２５，２６：開口  
２７：中空部                              ２９，３０：挿入部  
３１，３２：封止板                        ３３，３４：（封止板の）取っ手  
３５，３６，３７，３８：部材              ３９，４０：スペーサ部材  
４３：フランジ                            ６１：メッシュ部  
６２：金網                                ６３，６４：挟持板  
６５：規制板                              ６６：先端  
６６ａ：（第１のろ過板６ａの）先端        ６６ｂ：（第１のろ過板６ｂの）先端  
６７：（規制板の）取っ手                   
７１ａ：（第１のろ過板６ａの）係合部      ７１ｂ：（第２のろ過板６ｂの）係合部
７２：開口部                              Ｆ：流体
Ｄｘ：横断方向                            Ｄｆ：流通方向
Ｗ：流通路  
【図１】
2018192440.tif 000003
【図２】
2018192440.tif 000004
【図３】
2018192440.tif 000005
【図４】
2018192440.tif 000006
【図５】
2018192440.tif 000007
【図６】
2018192440.tif 000008
【図７】
2018192440.tif 000009